(57)【要約】      （修正有）【課題】復水がフィルタエレメントを通過する前に復水に含まれる鉄を除去できるポンプ入口フィルタを備えた制御棒駆動水圧系を提供する。【解決手段】復水貯蔵タンクと、復水貯蔵タンクから復水が流れるポンプ吸込み配管と、ポンプ吸込み配管に接続され、復水が供給される制御棒駆動水ポンプと、制御棒駆動水ポンプで昇圧された復水が流入する水圧制御ユニットと、水圧制御ユニットに接続された制御棒駆動機構と、ポンプ吸込み配管に接続され、制御棒駆動水ポンプの上流の位置に設けられたポンプ入口フィルタ８を備える。ポンプ入口フィルタ８は、ポンプ吸込み配管から復水が内部に流れ込む取水口２５と、フィルタエレメント８ａと、鉄除去装置２３を備える。鉄除去装置２３は、復水がフィルタエレメント８ａを通過する前に、復水に含まれている鉄成分と鉄イオン成分のうち少なくとも一方を除去するように構成されている。【選択図】図３
2020003338.tif 000002
【特許請求の範囲】
【請求項１】
復水器で生成された復水を貯蔵する復水貯蔵タンクと、
前記復水貯蔵タンクに接続され、前記復水貯蔵タンクから前記復水が流れるポンプ吸込み配管と、
前記ポンプ吸込み配管に接続され、前記復水が供給される制御棒駆動水ポンプと、
前記制御棒駆動水ポンプで昇圧された前記復水が流入する水圧制御ユニットと、
前記水圧制御ユニットに接続された制御棒駆動機構と、
前記ポンプ吸込み配管に接続され、前記制御棒駆動水ポンプに供給される前記復水の流れにおいて前記制御棒駆動水ポンプの上流の位置に設けられたポンプ入口フィルタと、
を備え、
前記ポンプ入口フィルタは、前記ポンプ吸込み配管から前記復水が内部に流れ込む取水口と、フィルタエレメントと、鉄除去装置とを備え、
前記鉄除去装置は、前記復水が前記フィルタエレメントを通過する前に、前記復水に含まれている鉄成分と鉄イオン成分のうち少なくとも一方を除去するように構成されている、
ことを特徴とする制御棒駆動水圧系。
【請求項２】
前記鉄除去装置は、フィルタと、接触酸化法に用いられる除鉄ろ過材との少なくとも一方を備え、前記フィルタが前記鉄成分を除去し、前記除鉄ろ過材が前記鉄イオン成分を除去する、
請求項１に記載の制御棒駆動水圧系。
【請求項３】
前記鉄除去装置は、前記ポンプ入口フィルタの内部で、前記取水口と前記フィルタエレメントとの間に設けられる、
請求項１または２に記載の制御棒駆動水圧系。
【請求項４】
前記ポンプ入口フィルタは、蓋を備え、
前記鉄除去装置は、前記蓋に設けられる、
請求項３に記載の制御棒駆動水圧系。
【請求項５】
前記ポンプ入口フィルタは、前記ポンプ吸込み配管と前記取水口とに接続されたフィルタ吸込み配管を備え、
前記鉄除去装置は、前記フィルタ吸込み配管に設けられる、
請求項１または２に記載の制御棒駆動水圧系。
【発明の詳細な説明】
【技術分野】
【０００１】
本発明は、沸騰水型原子炉における制御棒駆動系を構成する制御棒駆動水圧系に関する。
【背景技術】
【０００２】
沸騰水型原子炉において、制御棒駆動水圧系は、制御棒駆動系を構成する系統のひとつである。原子炉の制御棒は、水圧制御ユニットから供給された高圧水を駆動源として、制御棒駆動機構により駆動される。制御棒駆動機構に水を供給する系統が、制御棒駆動水圧系である。
【０００３】
原子炉圧力容器にて発生した蒸気は、タービンを回した後に復水器で復水になる。復水は、復水脱塩装置で処理された後、一部が原子炉圧力容器に供給され、一部が復水貯蔵タンクに供給される。復水貯蔵タンクに供給される復水の一部は、制御棒駆動水圧系への水として、ポンプ入口フィルタを経て、制御棒駆動水ポンプに供給される。制御棒駆動水ポンプにて昇圧された水は、ポンプ出口フィルタを経て、水圧制御ユニットに流入する。水圧制御ユニットには、制御棒駆動機構が接続されている。
【０００４】
制御棒駆動水圧系では、水圧制御ユニットへの水の流れにおいて、制御棒駆動水ポンプの上流にはポンプ入口フィルタが設置され、下流にはポンプ出口フィルタが設置される。これらのフィルタは、フィルタエレメントを備え、制御棒駆動水圧系の水源となる復水系の復水脱塩装置または復水貯蔵タンクの復水に混入した不溶解物または鉄クラッドが、精密な駆動機構部を有する制御棒駆動機構に流入するのを防いでいる。
【０００５】
上記のような従来の制御棒駆動水圧系は、例えば、特許文献１に記載されている。
【先行技術文献】
【特許文献】
【０００６】
【特許文献１】特開２００４−１９１１５４号公報
【発明の概要】
【発明が解決しようとする課題】
【０００７】
制御棒駆動水圧系の水源となる復水脱塩装置の復水には、鉄が金属やイオンとして含まれている。復水に含まれる鉄が酸化し、錆（酸化鉄）となってポンプ入口フィルタ内のフィルタエレメントに固着すると、フィルタエレメントの寿命と交換周期を縮める要因となる。フィルタエレメントの寿命と交換周期が短くなると、フィルタエレメントの交換頻度やポンプ入口フィルタの点検回数が増加し、さらには作業員のメンテナンスに要する時間や負担が増加し、コストが増加するので好ましくない。
【０００８】
本発明の目的は、復水がフィルタエレメントを通過する前に復水に含まれる鉄を除去できるポンプ入口フィルタを備えた制御棒駆動水圧系を提供することである。
【課題を解決するための手段】
【０００９】
本発明による制御棒駆動水圧系は、復水器で生成された復水を貯蔵する復水貯蔵タンクと、前記復水貯蔵タンクに接続され、前記復水貯蔵タンクから前記復水が流れるポンプ吸込み配管と、前記ポンプ吸込み配管に接続され、前記復水が供給される制御棒駆動水ポンプと、前記制御棒駆動水ポンプで昇圧された前記復水が流入する水圧制御ユニットと、前記水圧制御ユニットに接続された制御棒駆動機構と、前記ポンプ吸込み配管に接続され、前記制御棒駆動水ポンプに供給される前記復水の流れにおいて前記制御棒駆動水ポンプの上流の位置に設けられたポンプ入口フィルタを備える。前記ポンプ入口フィルタは、前記ポンプ吸込み配管から前記復水が内部に流れ込む取水口と、フィルタエレメントと、鉄除去装置を備える。前記鉄除去装置は、前記復水が前記フィルタエレメントを通過する前に、前記復水に含まれている鉄成分と鉄イオン成分のうち少なくとも一方を除去するように構成されている。
【発明の効果】
【００１０】
本発明によると、復水がフィルタエレメントを通過する前に復水に含まれる鉄を除去できるポンプ入口フィルタを備えた制御棒駆動水圧系を提供することができる。
【図面の簡単な説明】
【００１１】
【図１】制御棒駆動水圧系の構成を示す図。
【図２】従来の制御棒駆動水圧系におけるポンプ入口フィルタの縦断面図。
【図３】本発明の実施例１による制御棒駆動水圧系におけるポンプ入口フィルタの縦断面図。
【図４】本発明の実施例２による制御棒駆動水圧系におけるポンプ入口フィルタの縦断面図。
【図５】本発明の実施例３による制御棒駆動水圧系におけるポンプ入口フィルタの縦断面図。
【発明を実施するための形態】
【００１２】
本発明による制御棒駆動水圧系では、水圧制御ユニットへの水の流れにおいて制御棒駆動水ポンプの上流に設置されたポンプ入口フィルタは、復水に含まれる鉄成分（例えば、鉄粉）と鉄イオン成分のうち少なくとも一方が下流に流出するのを防止できる鉄除去装置を備える。この鉄除去装置は、復水に含まれる鉄（鉄成分と鉄イオン成分のうち少なくとも一方）を、復水がポンプ入口フィルタ内のフィルタエレメントを通過する前に除去できる。
【００１３】
本発明によると、ポンプ入口フィルタ内のフィルタエレメントに流入する復水に含まれている鉄を、復水がフィルタエレメントを通過する前に取り除くことができるので、フィルタエレメントへの錆（酸化鉄）の固着を防ぐことができ、フィルタエレメントの寿命を延ばすことができる。このため、フィルタエレメントの交換周期とポンプ入口フィルタの点検周期を延ばすことができる。
【００１４】
以下、本発明の実施例による制御棒駆動水圧系を、図面を用いて説明する。なお、本明細書で用いる図面において、同一の構成要素には同一の符号を付け、これらの構成要素については繰り返しの説明を省略する場合がある。
【実施例１】
【００１５】
図１は、制御棒駆動水圧系の構成を示す図である。図１には、制御棒駆動水圧系に関連する復水給水系の構成も示している。
【００１６】
初めに、復水給水系について説明する。原子炉圧力容器５で発生した蒸気は、タービン（図には示されていない）を回した後に復水器１に戻され、復水器１で凝縮して水（復水）になる。復水器１で生成された復水は、復水移送ポンプ２によって復水脱塩装置３に送られ、復水脱塩装置３で処理された後、復水系配管４を通って原子炉圧力容器５に供給される。
【００１７】
制御棒駆動水圧系は、主に、復水貯蔵タンク６、ポンプ入口フィルタ８、制御棒駆動水ポンプ９、ポンプ出口フィルタ１１、水圧制御ユニット１３、及び制御棒駆動機構１９を備える。復水貯蔵タンク６は、建屋内に設置されても屋外に設置されてもよい。ポンプ入口フィルタ８、制御棒駆動水ポンプ９、及びポンプ出口フィルタ１１は、いずれも、通常は２台が並列に設置されて１台のみが通水している。水圧制御ユニット１３は、原子炉に複数台設置されている。
【００１８】
制御棒駆動水圧系には、復水系配管４から分岐した制御棒駆動水供給配管２０によって、復水脱塩装置３から水が供給される。この水は、復水器１で生成された復水である。制御棒駆動水供給配管２０は、復水貯蔵タンク６に復水を供給する。復水貯蔵タンク６は、復水を貯蔵する。
【００１９】
制御棒駆動水供給配管２０を流れる復水の一部は、制御棒駆動水ポンプ吸込み配管７に流れ、ポンプ入口フィルタ８を流れて、制御棒駆動水ポンプ９に供給される。制御棒駆動水ポンプ吸込み配管７は、ポンプ入口フィルタ８に接続され、ポンプ入口フィルタ８と制御棒駆動水ポンプ９とを接続するとともに、復水貯蔵タンク６にも接続される。ポンプ入口フィルタ８は、制御棒駆動水ポンプ吸込み配管７に接続され、制御棒駆動水ポンプ９に供給される復水の流れにおいて、制御棒駆動水ポンプ９の上流の位置に設けられる。
【００２０】
制御棒駆動水ポンプ９で昇圧された復水は、制御棒駆動水ポンプ吐出配管１０、ポンプ出口フィルタ１１、系統流量調節弁１２、及びパージ水ヘッダ配管２１を流れ、水圧制御ユニット１３に流入する。
【００２１】
水圧制御ユニット１３には、２台の制御棒駆動機構１９が接続されている。水圧制御ユニット１３に流入した水は、パージ水として２台の制御棒駆動機構１９に分配されて供給される。これにより、原子炉圧力容器５からの不溶解物や鉄クラッドが制御棒駆動機構１９の内部に沈降することを防いでいる。
【００２２】
以下では、特に断りのない限り、復水貯蔵タンク６から水圧制御ユニット１３への水の流れについて「上流」または「下流」と呼ぶ。
【００２３】
ポンプ出口フィルタ１１と系統流量調節弁１２を接続する配管は、系統流量調節弁１２の上流の位置で分岐し、充てん水ヘッダ配管２２を介して水圧制御ユニット１３に高圧水を供給する。水圧制御ユニット１３は、アキュムレータ（図には示していない）を備え、高圧水によりアキュムレータを常時高圧に維持している。
【００２４】
制御棒駆動水ポンプ９が吐出した水の一部は、ポンプ出口フィルタ１１の下流の位置から、原子炉冷却材再循環ポンプ１４のパージ水、及び原子炉冷却材浄化系ポンプ１５のパージ水として供給される。
【００２５】
制御棒駆動水ポンプ９に接続された制御棒駆動水ポンプ吐出配管１０には、ポンプミニマムフロー配管１６が接続されている。通常運転中では、制御棒駆動水ポンプ９が吐出した水の一部は、ポンプミニマムフロー配管１６を流れ、制御棒駆動水加熱器１７を経て、ポンプ入口フィルタ８の上流の位置に戻される。制御棒駆動水加熱器１７は、制御棒駆動水圧系の水の温度調整を行う。なお、制御棒駆動水加熱器１７が運転しない場合には、ポンプミニマムフロー配管１６を流れる水は、バイパス弁１８により、制御棒駆動水加熱器１７に流れないで復水貯蔵タンク６に流入する。
【００２６】
原子炉の定期検査中には、復水脱塩装置３から制御棒駆動水圧系への水の供給が停止されるので、制御棒駆動水圧系の水源は、復水貯蔵タンク６となる。水源が復水貯蔵タンク６の場合でも、制御棒駆動水圧系の水（復水）は、復水貯蔵タンク６から制御棒駆動水ポンプ吸込み配管７とポンプ入口フィルタ８を流れて、制御棒駆動水ポンプ９に供給される。これにより、制御棒駆動水ポンプ９より下流の位置にある各装置は、定期検査中でも通常運転時と同様に作動することができる。
【００２７】
ポンプ入口フィルタ８は、制御棒駆動水ポンプ吸込み配管７に接続したフィルタ吸込み配管８ｄとフィルタ吐出配管８ｅを備える。フィルタ吸込み配管８ｄは、制御棒駆動水ポンプ吸込み配管７を流れる水をポンプ入口フィルタ８の内部に流入させる配管である。フィルタ吐出配管８ｅは、ポンプ入口フィルタ８から制御棒駆動水ポンプ吸込み配管７に水を流出させる配管である。すなわち、ポンプ入口フィルタ８は、上流の位置にフィルタ吸込み配管８ｄを備え、下流の位置にフィルタ吐出配管８ｅを備える。
【００２８】
図２は、従来の制御棒駆動水圧系におけるポンプ入口フィルタ８の縦断面図である。図２には、ポンプ入口フィルタ８の概略を示している。従来の制御棒駆動水圧系におけるポンプ入口フィルタ８は、フィルタエレメント８ａ、ポンプ入口フィルタ容器８ｂ、ポンプ入口フィルタ蓋８ｃ、フィルタ吸込み配管８ｄ、フィルタ吐出配管８ｅ、及び取水口２５を備える。ポンプ入口フィルタ容器８ｂは、フィルタエレメント８ａを内部に収納し、上部がポンプ入口フィルタ蓋８ｃで覆われており、フィルタ吸込み配管８ｄとフィルタ吐出配管８ｅとが接続されている。ポンプ入口フィルタ容器８ｂとフィルタ吸込み配管８ｄとの接続部は、水３０（復水）がポンプ入口フィルタ８の内部に流れ込むための開口部であり、取水口２５である。フィルタ吸込み配管８ｄは、制御棒駆動水ポンプ吸込み配管７と取水口２５とに接続される。取水口２５には、制御棒駆動水ポンプ吸込み配管７からフィルタ吸込み配管８ｄを経由して水３０（復水）が流れ込む。
【００２９】
フィルタ吸込み配管８ｄを流れて取水口２５からポンプ入口フィルタ容器８ｂの内部に流入した水３０は、直接、フィルタエレメント８ａに流れ、フィルタ吐出配管８ｅを流れてポンプ入口フィルタ容器８ｂから流出する。
【００３０】
ポンプ入口フィルタ蓋８ｃは、ポンプ入口フィルタ容器８ｂに対して着脱可能である。フィルタエレメント８ａを交換するときには、ポンプ入口フィルタ蓋８ｃをポンプ入口フィルタ容器８ｂから取り外して、フィルタエレメント８ａをポンプ入口フィルタ容器８ｂから取り出す。
【００３１】
図３は、本実施例による制御棒駆動水圧系におけるポンプ入口フィルタ８の縦断面図である。図３には、ポンプ入口フィルタ８の概略を示している。ポンプ入口フィルタ８は、フィルタエレメント８ａ、ポンプ入口フィルタ容器８ｂ、ポンプ入口フィルタ蓋８ｃ、フィルタ吸込み配管８ｄ、フィルタ吐出配管８ｅ、取水口２５、及び鉄除去装置２３を備える。鉄除去装置２３は、ポンプ入口フィルタ８の内部で、板状部材２４に載置されて、取水口２５とフィルタエレメント８ａとの間に位置するように設けられる。板状部材２４は、開口部２４ａを有する。鉄除去装置２３は、鉄除去部を備える。
【００３２】
フィルタ吸込み配管８ｄを流れて取水口２５からポンプ入口フィルタ容器８ｂの内部に流入した水３０（復水）は、鉄除去装置２３を流れてから、板状部材２４の開口部２４ａを通ってフィルタエレメント８ａに流れ、フィルタ吐出配管８ｅを流れてポンプ入口フィルタ容器８ｂから流出する。
【００３３】
鉄除去装置２３は、鉄除去部として、水３０（復水）がフィルタエレメント８ａを通過する前に、水３０に含まれている鉄成分（例えば、鉄粉）と鉄イオン成分とのうち少なくとも一方を除去し、除去した成分がフィルタエレメント８ａに流れるのを防ぐ構成を備える。鉄除去装置２３は、鉄除去部として、鉄成分を除去する構成と鉄イオン成分を除去する構成の両方を備えるのが好ましいが、どちらか一方の構成だけを備えてもよい。
【００３４】
鉄除去装置２３は、水３０に含まれている鉄成分を除去し、鉄成分がフィルタエレメント８ａに流れるのを防ぐ構成として、例えば、カートリッジフィルター、マグネットフィルター、及び繊維ろ材などの、多孔性の膜や層などを持ち流体を通過させることで流体に混在する固体粒子を分離するフィルタを備えることができる。また、鉄除去装置２３は、水３０に含まれている鉄イオン成分を除去し、鉄イオン成分がフィルタエレメント８ａに流れるのを防ぐ構成として、例えば、表面がオキシ水酸化鉄（ＦｅＯＯＨ）で被覆されたろ過材（例えば、セラミックス）などの除鉄ろ過材を備えることができる。除鉄ろ過材は、例えば、接触酸化法（接触ろ過法）に用いられ、水３０に含まれている鉄イオン成分を除去する。
【００３５】
本実施例による制御棒駆動水圧系では、ポンプ入口フィルタ８が鉄除去装置２３を備えるので、ポンプ入口フィルタ８に流入した復水（水３０）は、鉄除去装置２３を流れてからフィルタエレメント８ａに流れる。復水に含まれている鉄成分と鉄イオン成分のうち少なくとも一方は、復水がフィルタエレメント８ａを通過する前に除去できる。このため、フィルタエレメント８ａへの錆（酸化鉄）の固着を防止でき、フィルタエレメント８ａが目詰まりを起こすまでの期間を延ばすことができ、フィルタエレメント８ａの寿命を延ばすことができる。そして、フィルタエレメント８ａの交換周期を伸ばすことができ、フィルタエレメント８ａの交換頻度やポンプ入口フィルタ８の点検回数の増加を防ぐことができる。
【実施例２】
【００３６】
本発明の実施例２による制御棒駆動水圧系を説明する。
【００３７】
図４は、本実施例による制御棒駆動水圧系におけるポンプ入口フィルタ８の縦断面図である。図４には、ポンプ入口フィルタ８の概略を示している。以下では、実施例１による制御棒駆動水圧系と異なる点を主に説明する。
【００３８】
ポンプ入口フィルタ８は、ポンプ入口フィルタ蓋８ｃに鉄除去装置２３を備える。鉄除去装置２３は、ポンプ入口フィルタ８の内部で、ポンプ入口フィルタ蓋８ｃから垂れ下がっており、取水口２５とフィルタエレメント８ａとの間に位置するように設けられる。鉄除去装置２３は、鉄除去部を備える。
【００３９】
フィルタ吸込み配管８ｄを流れて取水口２５からポンプ入口フィルタ容器８ｂの内部に流入した水３０（復水）は、鉄除去装置２３を流れてからフィルタエレメント８ａに流れ、フィルタ吐出配管８ｅを流れてポンプ入口フィルタ容器８ｂから流出する。ポンプ入口フィルタ８に流入した復水（水３０）は、鉄除去装置２３を流れてからフィルタエレメント８ａに流れる。このため、復水に含まれている鉄成分と鉄イオン成分のうち少なくとも一方は、復水がフィルタエレメント８ａを通過する前に除去できる。
【００４０】
本実施例による制御棒駆動水圧系は、実施例１による制御棒駆動水圧系によって得られる効果と同様の効果を得ることができる。さらに、本実施例による制御棒駆動水圧系では、ポンプ入口フィルタ蓋８ｃをポンプ入口フィルタ容器８ｂから取り外すことで、鉄除去装置２３をポンプ入口フィルタ８から取り外すことができる。このため、ポンプ入口フィルタ８のメンテナンス作業に必要な労力を減らすことができ、ポンプ入口フィルタ８のメンテナンス時に作業員の負担を軽減し、メンテナンス時間を短縮することができる。
【実施例３】
【００４１】
本発明の実施例３による制御棒駆動水圧系を説明する。
【００４２】
図５は、本実施例による制御棒駆動水圧系におけるポンプ入口フィルタ８の縦断面図である。図５には、ポンプ入口フィルタ８の概略を示している。以下では、実施例１による制御棒駆動水圧系と異なる点を主に説明する。
【００４３】
ポンプ入口フィルタ８は、水３０（復水）をポンプ入口フィルタ８の内部に流入させる配管であるフィルタ吸込み配管８ｄに鉄除去装置２３を備える。鉄除去装置２３は、取水口２５よりも上流の位置でフィルタ吸込み配管８ｄに設置される。鉄除去装置２３は、鉄除去部を備える。
【００４４】
鉄除去装置２３は、例えば、Ｙ型ストレーナのように、フィルタ吸込み配管８ｄにフランジで接続されるか溶接によって取付けられ、鉄除去部を取り出すための取出し口を備え、鉄除去部の脱着と取り扱いが容易に行える構造を備える。
【００４５】
フィルタ吸込み配管８ｄを流れる水３０（復水）は、鉄除去装置２３を流れてから、取水口２５を通ってポンプ入口フィルタ容器８ｂの内部に流入してフィルタエレメント８ａに流れ、フィルタ吐出配管８ｅを流れてポンプ入口フィルタ容器８ｂから流出する。フィルタ吸込み配管８ｄを流れる復水（水３０）は、鉄除去装置２３を流れてからフィルタエレメント８ａに流れる。このため、復水に含まれている鉄成分と鉄イオン成分のうち少なくとも一方は、復水がフィルタエレメント８ａを通過する前に除去できる。
【００４６】
本実施例による制御棒駆動水圧系は、実施例１による制御棒駆動水圧系によって得られる効果と同様の効果を得ることができる。さらに、本実施例による制御棒駆動水圧系では、ポンプ入口フィルタ蓋８ｃをポンプ入口フィルタ容器８ｂから取り外さずに、鉄除去装置２３の鉄除去部をポンプ入口フィルタ８から取り外すことができる。このため、ポンプ入口フィルタ８のメンテナンス作業に必要な労力を減らすことができ、ポンプ入口フィルタ８のメンテナンス時に作業員の負担を軽減し、メンテナンス時間を短縮することができる。
【００４７】
なお、本発明は、上記の実施例に限定されるものではなく、様々な変形が可能である。例えば、上記の実施例は、本発明を分かりやすく説明するために詳細に説明したものであり、本発明は、必ずしも説明した全ての構成を備える態様に限定されるものではない。また、ある実施例の構成の一部を他の実施例の構成に置き換えることが可能である。また、ある実施例の構成に他の実施例の構成を加えることも可能である。また、各実施例の構成の一部について、削除したり、他の構成を追加・置換したりすることが可能である。
【符号の説明】
【００４８】
１…復水器、２…復水移送ポンプ、３…復水脱塩装置、４…復水系配管、５…原子炉圧力容器、６…復水貯蔵タンク、７…制御棒駆動水ポンプ吸込み配管、８…ポンプ入口フィルタ、８ａ…フィルタエレメント、８ｂ…ポンプ入口フィルタ容器、８ｃ…ポンプ入口フィルタ蓋、８ｄ…フィルタ吸込み配管、８ｅ…フィルタ吐出配管、９…制御棒駆動水ポンプ、１０…制御棒駆動水ポンプ吐出配管、１１…ポンプ出口フィルタ、１２…系統流量調節弁、１３…水圧制御ユニット、１４…原子炉冷却材再循環ポンプ、１５…原子炉冷却材浄化系ポンプ、１６…ポンプミニマムフロー配管、１７…制御棒駆動水加熱器、１８…バイパス弁、１９…制御棒駆動機構、２０…制御棒駆動水供給配管、２１…パージ水ヘッダ配管、２２…充てん水ヘッダ配管、２３…鉄除去装置、２４…板状部材、２４ａ…開口部、２５…取水口、３０…水。
【図１】
2020003338.tif 000003
【図２】
2020003338.tif 000004
【図３】
2020003338.tif 000005
【図４】
2020003338.tif 000006
【図５】
2020003338.tif 000007